(57)【要約】【課題】  負荷の変動に拘わらず，複数の現像器に安定して直流電圧と交流電圧とが重なった電圧を供給する。【解決手段】    少なくとも一つ以上のツェナーダイオードからなり，第１直流電圧と第１交流電圧とが重なったメイン電圧から，現像剤供給ローラに印加する第１サブ電圧を生成する第１サブ電圧生成部２１０と，少なくとも一つ以上のツェナーダイオードからなり，上記メイン電圧から，現像ローラに印加する第２サブ電圧を生成する第２サブ電圧生成部２３０と，上記第１サブ電圧生成部と上記現像剤供給ローラとの間にある第１サブ電圧の印加接点と接地との間に連結される第１電流安定化部２５０と，上記第２サブ電圧生成部と上記現像ローラとの間にある第２サブ電圧の印加接点と接地との間に連結される第２電流安定化部２７０とを備えることを特徴とする，現像器の電圧供給装置が提供される。【選択図】    図２
2005338846.tif 000002
【特許請求の範囲】
【請求項１】
少なくとも一つ以上のツェナーダイオードからなり，第１直流電圧と第１交流電圧とが重なったメイン電圧から，現像剤供給ローラに印加する第１サブ電圧を生成する第１サブ電圧生成部と；
少なくとも一つ以上のツェナーダイオードからなり，前記メイン電圧から，現像ローラに印加する第２サブ電圧を生成する第２サブ電圧生成部と；
前記第１サブ電圧生成部と前記現像剤供給ローラとの間にある第１サブ電圧の印加接点と接地との間に連結される第１電流安定化部と；
前記第２サブ電圧生成部と前記現像ローラとの間にある第２サブ電圧の印加接点と接地との間に連結される第２電流安定化部と；
を備えることを特徴とする，現像器の電圧供給装置。
【請求項２】
前記第１および第２電流安定化部は，それぞれ少なくとも一つ以上の抵抗からなることを特徴とする，請求項１に記載の現像器の電圧供給装置。
【請求項３】
前記各抵抗値は，前記ツェナーダイオードの定格ツェナー電流の最小値と，前記第１交流電圧の最大−最小間値とにより決定されることを特徴とする，請求項２に記載の現像器の電圧供給装置。
【請求項４】
前記第１および第２サブ電圧生成部と，前記第１および第２電流安定化部は，一つのバイアスボードを構成することを特徴とする，請求項１に記載の現像器の電圧供給装置。
【請求項５】
前記バイアスボードは，前記現像器内に設置されることを特徴とする，請求項４に記載の現像器の電圧供給装置。
【請求項６】
第１直流電圧と第１交流電圧とが重なったメイン電圧を生成するメイン電圧ユニットと；
前記メイン電圧を所定の現像タイミングによって切り替え，カラー毎に設けられた現像器のうち一つに提供する切替ユニットと；
前記切替ユニットから提供されるメイン電圧から，負荷の変動に関係なく安定した第１および第２サブ電圧を生成して，それぞれ現像剤供給ローラと現像ローラとに供給する複数のサブ電圧ユニットと；
を備えることを特徴とする，現像器の電圧供給装置。
【請求項７】
前記サブ電圧ユニットは，
少なくとも一つ以上のツェナーダイオードからなり，前記メイン電圧から，現像剤供給ローラに印加する第１サブ電圧を生成する第１サブ電圧生成部と；
少なくとも一つ以上のツェナーダイオードからなり，前記メイン電圧から，現像ローラに印加する第２サブ電圧を生成する第２サブ電圧生成部と；
前記第１サブ電圧生成部と前記現像剤供給ローラとの間にある第１サブ電圧の印加接点と接地との間に連結される第１電流安定化部と；
前記第２サブ電圧生成部と前記現像ローラとの間にある第２サブ電圧の印加接点と接地との間に連結される第２電流安定化部と；
を備えることを特徴とする，請求項６に記載の現像器の電圧供給装置。
【請求項８】
前記第１および第２電流安定化部は，それぞれ少なくとも一つ以上の抵抗からなることを特徴とする，請求項７に記載の現像器の電圧供給装置。
【請求項９】
前記各抵抗値は，前記ツェナーダイオードの定格ツェナー電流の最小値と，前記第１交流電圧の最大−最小間値とにより決定されることを特徴とする，請求項８に記載の現像器の電圧供給装置。
【請求項１０】
前記各サブ電圧ユニットは，一つのバイアスボードを構成することを特徴とする，請求項６に記載の現像器の電圧供給装置。
【請求項１１】
前記バイアスボードは，前記現像器内に設置されることを特徴とする，請求項１０に記載の現像器の電圧供給装置。
【請求項１２】
第１直流電圧と第１交流電圧とが重なったメイン電圧から，現像剤供給ローラに印加する第１サブ電圧を生成するステップと；
前記メイン電圧から現像ローラに印加する第２サブ電圧を生成するステップと；
現像過程中に，前記現像剤供給ローラに印加される前記第１サブ電圧を安定化させるステップと；
現像過程中に，前記現像ローラに印加される前記第２サブ電圧を安定化させるステップと，
を含み，
前記第１および第２サブ電圧は，現像器で発生することを特徴とする，現像器の電圧供給方法。
【発明の詳細な説明】
【技術分野】
【０００１】
本発明は，電子写真方式のカラー画像形成装置に係り，特に，カラー印刷あるいは複写のため，複数のカラー毎に設けられた現像器に，負荷の変動に拘わらず安定して直流電圧と交流電圧とが重なった電圧を供給する，現像器の電圧供給装置および方法に関する。
【背景技術】
【０００２】
非接触方式のカラー画像形成装置は，現像ローラが感光体ドラムに対して接触または離隔せずに，一定の現像ギャップ，例えば，０.２ｍｍを維持するように配置された固定式現像器を備える。このような固定式現像器は，イエロー，マゼンタ，シアンおよびブラックの現像剤をそれぞれ収容した現像器を現像時に交換するために，偏心カム，カム駆動モーターおよび電子クラッチを使用する接触方式で引き起こされる多様な問題点を解消できる。
【０００３】
上記非接触方式の画像形成装置において，現像器の電圧供給装置は，現像ローラで利用される電圧および現像剤供給ローラで利用される電圧を提供する電圧供給源，固定式現像器の固定接点端子，および電圧供給源の各出力電圧とそれぞれの現像器の固定接点端子を連結する接続印刷回路基板（Ｐｒｉｎｔｉｎｇ
Ｃｉｒｃｕｉｔ Ｂｏａｒｄ：以下，ＰＣＢ）を備える。
【０００４】
そのような固定式現像器を使用する非接触方式のカラー画像形成装置は，現像器が感光体に対して接触または離隔しないことにより，接触衝撃などによる画像品質の低下および感光体の寿命低下といった問題が改善される。また，現像器の電圧供給装置が接続ＰＣＢを使用することで，複雑なワイヤーハーネスを使用する高電圧区間を最小化するという利点がある。
【０００５】
しかし，電圧供給源で電圧を供給するワイヤーハーネスの構成と，接続ＰＣＢ内にパターンされた連結線および電圧を切り替える電圧接点の構成は，未だ持って複雑であり，現像時に現像器を交換する場合に電圧ノイズが発生し，電圧接点で切替の信頼性が低下するという問題点がある。
【０００６】
【特許文献１】特開２００３−１７４７６７号公報
【特許文献２】特開平１１−１１９５１９号公報
【発明の開示】
【発明が解決しようとする課題】
【０００７】
したがって，負荷変動に依存せず，且つ電圧ノイズを最小化し，各カラーのための複数の現像器に電圧を安定して供給できるシステムおよび方法が必要となる。
【０００８】
本発明は，従来の電圧供給装置が有する上記問題点に鑑みてなされたものであり，本発明の目的は，カラー印刷あるいは複写のためにツェナーダイオードを使用して，電圧供給源から供給される一つのメイン電圧から異なる電圧レベルを有する少なくとも２つ以上のサブ電圧を生成して，現像器に供給することが可能な，新規かつ改良された現像器の電圧供給装置および方法を提供することである。
【０００９】
本発明が達成しようとする他の技術的課題は，負荷の変動に拘わらず，複数の現像器に安定して直流電圧と交流電圧とが重なった電圧を供給することが可能な現像器の電圧供給装置および方法を提供することである。
【課題を解決するための手段】
【００１０】
上記課題を解決するために，本発明のある観点によれば，少なくとも一つ以上のツェナーダイオードからなり，第１直流電圧と第１交流電圧とが重なったメイン電圧から，現像剤供給ローラに印加する第１サブ電圧を生成する第１サブ電圧生成部と；少なくとも一つ以上のツェナーダイオードからなり，上記メイン電圧から，現像ローラに印加する第２サブ電圧を生成する第２サブ電圧生成部と；上記第１サブ電圧生成部と上記現像剤供給ローラとの間にある第１サブ電圧の印加接点と接地との間に連結される第１電流安定化部と；上記第２サブ電圧生成部と上記現像ローラとの間にある第２サブ電圧の印加接点と接地との間に連結される第２電流安定化部と；を備えることを特徴とする，現像器の電圧供給装置が提供される。かかる電圧は，高電圧であるとしても良い。
【００１１】
上記第１および第２電流安定化部は，それぞれ少なくとも一つ以上の抵抗からなるとしても良い。かかる各抵抗値は，上記ツェナーダイオードの定格ツェナー電流の最小値と，上記第１交流電圧の最大−最小間値（ピークツーピーク値）とにより決定されるとしても良い。
【００１２】
上記第１および第２サブ電圧生成部と，上記第１および第２電流安定化部は，一つのバイアスボードを構成しても良い。このバイアスボードは，上記現像器内に設置されるとしても良い。
【００１３】
上記課題を解決するために，本発明の別の観点によれば，第１直流電圧と第１交流電圧とが重なったメイン電圧を生成するメイン電圧ユニットと；上記メイン電圧を所定の現像タイミングによって切り替え，カラー毎に設けられた現像器のうち一つに提供する切替ユニットと；上記切替ユニットから提供されるメイン電圧から，負荷の変動に関係なく安定した第１および第２サブ電圧を生成して，それぞれ現像剤供給ローラと現像ローラとに供給する複数のサブ電圧ユニットと；を備えることを特徴とする，現像器の電圧供給装置が提供される。
【００１４】
かかるサブ電圧ユニットは，上述した第１サブ電圧生成部と，第２サブ電圧生成部と，第１電流安定化部と，第２電流安定化部とを備えても良い。
【００１５】
上記課題を解決するために，本発明の別の観点によれば，第１直流電圧と第１交流電圧とが重なったメイン電圧から，現像剤供給ローラに印加する第１サブ電圧を生成するステップと；上記メイン電圧から現像ローラに印加する第２サブ電圧を生成するステップと；現像過程中に，上記現像剤供給ローラに印加される上記第１サブ電圧を安定化させるステップと；現像過程中に，上記現像ローラに印加される上記第２サブ電圧を安定化させるステップと，を含み，上記第１および第２サブ電圧は，現像器で発生することを特徴とする，現像器の電圧供給方法が提供される。
【発明の効果】
【００１６】
以上説明したように本発明によれば，現像器内で複数のツェナーダイオードを利用して，メイン電圧から第１および第２サブ電圧を生成し，第１および第２サブ電圧の出力端と接地端との間にツェナー電流を安定化させるための抵抗を付加的に連結することで，現像器の交換時に電圧ノイズを減らしうるだけでなく，電圧接点切替の信頼性を向上させることが可能となる。
【００１７】
また，現像剤供給ローラ抵抗および／または現像ローラ抵抗の変動や接地ラインの変動によって負荷抵抗が変動しても，ツェナーダイオードが正常にレギュレーション動作を行うことができる。その結果，安定した第１および第２サブ電圧が現像剤供給ローラおよび現像ローラに供給され，現像動作も安定し，印刷品質を向上させることが可能となる。また，感光体ドラムの寿命を延長することができる。
【発明を実施するための最良の形態】
【００１８】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１９】
本実施形態に係る現像器の電圧供給装置は，好ましくは，非接触方式のカラー画像形成装置に適用される。非接触方式のカラー画像形成装置は，現像ローラが感光体ドラムに対して接触または離隔せず，一定の現像ギャップ，例えば，０.２ｍｍを維持するように固定された固定式現像器を備える。
【００２０】
電界が現像ギャップに反比例して減少する固定式現像器を利用し，カラーレーザープリンタで現像を行うために，本実施形態では，直流電圧に交流電圧を重ねた電圧を現像剤供給ローラおよび現像ローラに供給する。こうして，トナーを現像ローラから感光体ドラムに移動させる。すなわち，交流電圧を印加した時のトナーの移動方向は，現像ベクトル（すなわち，現像バイアスのＤＣ成分−感光体ドラム表面の電位）によって決定されるため，負（−）に帯電されたトナーを使用する場合，現像ベクトルが負に帯電されたならば，現像ローラのトナーは感光体ドラムに移動し，現像ベクトルが正に帯電されたならば，現像ローラのトナーは移動しない。
【００２１】
図１は，本実施形態に係る現像器の電圧電源装置の構成を示すブロック図である。かかる電圧電源装置は，メイン電圧ユニット１１０と，切替ユニット１３０と，サブ電圧ユニット１５０とを含んで構成される。ここで，サブ電圧ユニット１５０は，切替ユニット１３０に存在する電圧出力接点の数と，カラー別現像器１６１，１６３，１６５，１６７に存在する電圧の印加接点の数とを減少させるために，カラー別現像器１６１，１６３，１６５，１６７内に位置したほうが良い。
【００２２】
図１を参照すると，メイン電圧ユニット１１０は，第１直流電圧と第１交流電圧とを重ねてメイン電圧を生成する。メイン電圧を構成する第１直流電圧と第１交流電圧との適正範囲は，現像ローラ１８０で必要とする第１サブ電圧と，現像剤供給ローラ１７０で必要とする第２サブ電圧とを，生成可能な範囲である。メイン電圧ユニット１１０で生成されたメイン電圧は，電圧出力接点Ｔ１と電圧の印加接点Ｔ２との間のワイヤーリングハーネスを介して切替ユニット１３０に提供される。
【００２３】
切替ユニット１３０は，電圧の印加接点Ｔ３と電圧出力接点Ｔ４とを含むソレノイド１２０からなり，メイン電圧から生成されるサブ電圧をカラー毎に設けられた現像器に供給する。即ち，所定の現像タイミングによって，電圧の印加接点Ｔ２から提供されるメイン電圧を選択的に切り替え，電圧出力接点Ｔ５と電圧の印加接点Ｔ６との間のワイヤーリングハーネスを介して，カラー別現像器１６１，１６３，１６５，１６７に提供する。リレーの一例としてソレノイドを挙げたが，これに限定されるものではない。
【００２４】
サブ電圧ユニット１５０は，切替ユニット１３０から電圧の印加接点Ｔ６に提供されるメイン電圧から，負荷の変動に拘わらず安定した第１および第２サブ電圧を生成して，それぞれ現像剤供給ローラ１７０と現像ローラ１８０とに提供する。
【００２５】
上記した構成によれば，カラー別現像器１６１，１６３，１６５，１６７内で，メイン電圧ユニット１１０から供給される一つのメイン電圧から，少なくとも２つ以上のサブ電圧を生成することで，メイン電圧ユニット１１０からカラー別現像器１６１，１６３，１６５，１６７まで，電圧供給に必要な電圧ワイヤーハーネス，パターン連結線および電圧切替接点の数を大幅に減少することができる。
【００２６】
図２は，図１におけるサブ電圧ユニット１５０の詳細な構成を示す回路図である。サブ電圧ユニット１５０は，第１サブ電圧生成部２１０，第２サブ電圧生成部２３０，第１電流安定化部２５０および第２電流安定化部２７０から構成される。サブ電圧ユニット１５０の動作については，図３Ａ〜図３Ｃに示された波形図と関連付けて説明する。
【００２７】
図２を参照すると，まず，図３Ａに示した，第１直流電圧Ｖｍ＿ｄｃと第１交流電圧Ｖｍ＿ｐｐとが重なったメイン電圧が，第１および第２サブ電圧生成部２１０，２３０に印加される。
【００２８】
第１サブ電圧生成部２１０は，少なくとも一つのツェナーダイオードあるいは直列連結された複数のツェナーダイオードからなり，一実施形態では，逆方向である第１および第２ツェナーダイオードＺＤ１，ＺＤ２を含む。ここで，第１および第２ツェナーダイオードＺＤ１，ＺＤ２は，何れもツェナー電圧が２００Ｖであるとする。
【００２９】
第１および第２ツェナーダイオードＺＤ１，ＺＤ２は，第１交流電圧Ｖｍ＿ｐｐに対して正方向に４００Ｖクリッピングさせる。その結果，第１サブ電圧生成部２１０は，図３Ｂのように，第１サブ直流電圧Ｖｓ１＿ｄｃと第１サブ交流電圧Ｖｓ１＿ｐｐとが重なった第１サブ電圧を生成して，現像剤供給ローラ１７０に提供する。第１サブ直流電圧Ｖｓ１＿ｄｃは，第１直流電圧Ｖｍ＿ｄｃに比べて２００Ｖ減少し，第１サブ交流電圧Ｖｓ１＿ｐｐは，第１交流電圧Ｖｍ＿ｐｐに比べて４００Ｖｐｐ減少する。
【００３０】
第２サブ電圧生成部２３０は，少なくとも一つのツェナーダイオードあるいは直列連結された複数のツェナーダイオードからなり，一実施形態では，逆方向である第３ツェナーダイオードＺＤ３と順方向である第４および第５ツェナーダイオードＺＤ４，ＺＤ５を含む。ここで，第３ツェナーダイオードＺＤ３は，ツェナー電圧が１００Ｖであり，第４および第５ツェナーダイオードＺＤ４，ＺＤ５は，それぞれツェナー電圧が１００Ｖ，２００Ｖであるとする。
【００３１】
第３ツェナーダイオードＺＤ３は，第１交流電圧Ｖｍ＿ｐｐに対して正方向に１００Ｖ，第４および第５ツェナーダイオードＺＤ４，ＺＤ５は，第１交流電圧Ｖｍ＿ｐｐに対して負方向に３００Ｖクリッピングさせる。その結果，第２サブ電圧生成部２３０は，図３Ｃのように，第２サブ直流電圧Ｖｓ２＿ｄｃと第２サブ交流電圧Ｖｓ２＿ｐｐとが重なった第２サブ電圧を生成して，現像ローラ１８０に提供する。第２サブ直流電圧Ｖｓ２＿ｄｃは，第１直流電圧Ｖｍ＿ｄｃに比べて１００Ｖ増加し，第２サブ交流電圧Ｖｓ２＿ｐｐは，第１交流電圧Ｖｍ＿ｐｐに比べて４００Ｖｐｐ減少する。
【００３２】
そのように，現像ローラ１８０に供給される第２サブ電圧は，一般的に，現像剤供給ローラ１７０に供給される第１サブ電圧に比べて，１００Ｖないし４００Ｖ高く設定されるが，ここでは，第１サブ電圧が第２サブ電圧に比べて，直流電圧で３００Ｖ異ならし，交流電圧が等しくなるように設計したものである。
【００３３】
一方，上記第１および第２サブ電圧生成部２１０，２３０を構成するツェナーダイオードＺＤ１，ＺＤ２，ＺＤ３，ＺＤ４，ＺＤ５の数と連結方向は，これに限定されず，メイン電圧をなす第１直流電圧および第１交流電圧の大きさ，現像剤供給ローラ１７０および現像ローラ１８０で必要とする第１および第２サブ電圧の大きさによって多様な変形が可能である。
【００３４】
第１電流安定化部２５０は，少なくとも一つ以上の抵抗（図示せず）からなり，現像剤供給ローラ１７０抵抗，トナー抵抗や現像ローラ１８０抵抗などを含んでなる負荷抵抗（図示せず）に対して並列に連結される。第２電流安定化部２７０は，少なくとも一つ以上の抵抗からなり，現像剤供給ローラ１７０抵抗，トナー抵抗や現像ローラ１８０抵抗などを含んでなる負荷抵抗に対して並列に連結される。
【００３５】
第１および第２電流安定化部２５０，２７０は，現像剤供給ローラ１７０抵抗および／または現像ローラ１８０抵抗が変動するか，または接地端が変動することによって，負荷抵抗が可変したとしても，ツェナーダイオードのレギュレーションを可能にする所定範囲のツェナー電流を，ツェナーダイオードＺＤ１，ＺＤ２，ＺＤ３，ＺＤ４，ＺＤ５を介して流す。その結果，レギュレーションが実行されず，定格電圧以上の電圧が現像剤供給ローラ１７０および現像ローラ１８０に印加され，感光体ドラムに形成される静電潜像が損傷されて，印刷品質を低下し，または現像ローラ１８０から感光体ドラムに放電が発生しうる状況を，未然に防止することが可能である。
【００３６】
図４は，図２において，ツェナー電流を安定化させるために，第１および第２電流安定化部２５０，２７０を構成する抵抗値の算出法を説明するための図面である。
【００３７】
図４を参照して，第１サブ電圧生成部２１０を構成するツェナーダイオードＺＤ１，ＺＤ２を介して流れるツェナー電流をｉｚ１とし，第２サブ電圧生成部２３０を構成するツェナーダイオードＺＤ３，ＺＤ４，ＺＤ５を介して流れるツェナー電流をｉｚ２とする。一方，ＲＬ１は，現像剤供給ローラ１７０の抵抗，ＲＬ２は，トナー抵抗，ＲＬ３は，現像ローラ１８０の抵抗，ＣＬ１は，現像ローラ１８０と感光体ドラムとの間の一定ギャップにより生成されるキャパシタンス，ＲＬ４は，感光体ドラムの抵抗をそれぞれ示す。ここで，ＲＬ１ないしＲＬ４と，ＣＬ１との結合インピーダンスは，負荷抵抗ＲＬを示し，トナー特性の変化，または時間の経過または接地端の変動によって可変しうる。
【００３８】
第１電流安定化部２５０を構成し，負荷抵抗ＲＬと並列に接続される第１抵抗Ｒｓ１の値は，第１サブ電圧生成部２１０を構成するツェナーダイオードＺＤ１，ＺＤ２の最小ツェナー電流ｉｚ１＿ｍｉｎとメイン電圧の第１交流電圧Ｖｍ＿ｐｐ値（ピークツーピーク）によって決定される。最小ツェナー電流ｉｚ１＿ｍｉｎは，ツェナーダイオードがレギュレーションを正常に行うために必要とする最も低い電流値であって，部品仕様書から得られる。例えば，最小ツェナー電流ｉｚ１＿ｍｉｎが１ｍＡであり，第１交流電圧Ｖｍ＿ｐｐが２ＫＶである場合，第１抵抗Ｒｓ１の値は２Ｍオームになる。これによれば，負荷抵抗ＲＬが可変しても，第１抵抗Ｒｓ１と負荷抵抗ＲＬとの並列抵抗値である全体負荷抵抗Ｒｔの値は，第１抵抗Ｒｓ１の値，すなわち，２Ｍオームより小さな値になるため，ツェナーダイオードＺＤ１，ＺＤ２を介して最小ツェナー電流ｉｚ１＿ｍｉｎより大きな値の電流が流れる。
【００３９】
一方，第２電流安定化部２７０を構成する第２抵抗Ｒｓ２の値も，第２サブ電圧生成部２３０を構成するツェナーダイオードＺＤ３，ＺＤ４，ＺＤ５の最小ツェナー電流ｉｚ２＿ｍｉｎとメイン電圧の第１交流電圧Ｖｍ＿ｐｐ値によって決定される。
【００４０】
上記した実施形態は，現像剤供給ローラ１７０のための第１サブ電圧，および現像ローラ１８０のための第２サブ電圧を例として挙げたが，同じ方法を使用して現像剤層の規制ブレード（図示せず）のための第３サブ電圧を更に生成することが可能であり，マルチパス方式やシングルパス方式のうち，任意の方式を使用するレーザープリンタに何れも適用できる。
【００４１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４２】
本発明は，電子写真方式のカラー画像形成装置における現像器の電圧供給装置および方法に適用可能である。
【図面の簡単な説明】
【００４３】
【図１】本発明の一実施形態に係る現像器の電圧供給装置を示すブロック図である。
【図２】図１において，本発明の一実施形態に係るサブ電圧ユニットの細部的な構成を示す回路図である。
【図３Ａ】図２において，本発明の一実施形態に係るメイン電圧と第１および第２サブ電圧とを示す波形図である。
【図３Ｂ】図２において，本発明の一実施形態に係るメイン電圧と第１および第２サブ電圧とを示す波形図である。
【図３Ｃ】図２において，本発明の一実施形態に係るメイン電圧と第１および第２サブ電圧とを示す波形図である。
【図４】図２において，本発明の一実施形態に係るツェナー電流を安定化させるための抵抗値を算出する方法を説明するための図面である。
【符号の説明】
【００４４】
１５０  サブ電圧ユニット
２１０  第１サブ電圧生成部
２３０  第２サブ電圧生成部
２５０  第１電流安定化部
２７０  第２電流安定化部
ＺＤ１〜ＺＤ５  ツェナーダイオード
【図１】
2005338846.tif 000003
【図２】
2005338846.tif 000004
【図３Ａ】
2005338846.tif 000005
【図３Ｂ】
2005338846.tif 000006
【図３Ｃ】
2005338846.tif 000007
【図４】
2005338846.tif 000008